(57)【要約】      （修正有）【課題】地上から、屋根の雪を安全・労力軽減・効率良く引き落とす事ができる雪落し具を提供する。【解決手段】棹６と、棹６の先端が他端に装着部品５で装着され、一端にストッパー７を一体に設けられた基板２と、ストッパー７の下部に接続された差込板８と、基板２のストッパー７の近くに基板他端側向きに鋭角に接続部品４で下端が連結された上板１とを有し、前記上板は、雪を落とす時に接続部品４を軸に立ち上がり、ストッパー７で止められる。【選択図】図２
0003219842.tif 000002
【実用新案登録請求の範囲】
【請求項１】
棹と、前記棹の先端が他端に装着部品で装着され、一端にストッパーを一体に設けられた基板と、ストッパーの下部に接続された差込板と、前記基板のストッパーの近くに基板他端側向きに鋭角に接続部品で連結された上板とを有し、前記上板は、雪を落とす時に立ち上がり、前記ストッパーで止められる事を特徴とする雪落し具。
【請求項２】
前記上板は、雪に差込み後の引き抜き時、前記ストッパーで基板に対し略９０度に上がって止まり、雪を引き落とすことを特徴とする請求項１に記載の雪落とし具。
【請求項３】
前記基板の一端に一体化されたストッパーは、上板に向かって鋭角の曲がりがある事を特徴とする請求項１又は２に記載する雪落とし具。
【考案の詳細な説明】
【技術分野】
【０００１】  本考案は、屋根の積雪を地上から効率よく引き落とす事を目的とした、雪落とし具に関するものである。
【技術背景】
【０００２】  従来のこの種の地上から操作する雪落とし具・雪下ろし具は、長尺柄の先端に雪落とし器具を装着し、雪面表面に落とし、雪を引き落とす構造のもの、又は、積雪上部に差込んで剥き取る方法などが多数見受けられる。
しかし、屋根強度の不安を覚える積雪量に対してや雪面凍結に対しては、良い雪の除去策は見当たらない。
労力が軽減され、効率が高く、安全で、容易にできる雪落しの方法が雪国に於いての永年望まれている案件でもある。
【先行技術文献】
【特許文献】
【０００３】
【特許文献１】実用新案登録第３１２７７８７号  公報
【特許文献２】実用新案登録第３１８７３４９号  公報
【特許文献３】実用新案登録第３２１４１８８号  公報
【特許文献４】実用新案登録第３２１７０２４号  公報
【特許文献５】特許５６１７０１８号
【考案が解決しようとする課題】
【０００４】  従来技術の場合、積雪量が多い状態では引き落とす作業の労力が増す。雪落とし器具が深く入り過ぎた時は、引く力がより必要となり、また雪が深い程作業位置取りが遠くなり、柄も長くなり、雪落とし器具の体感重量が増し、労力の増加となる。
雪面が凍結した状態では、雪落とし器具が刺さりにくく、また、刺さったとしても引き落とす際に凍結の為、多くの雪に力が伝達し大きな力が必要となり、困難を要す。作業に対し、労力、効率、安全性と共に様々な雪の状態に対処出来る器具が望ましい。以上の課題を解決するために、特許文献３が登録されているが、雪面の凍結や湿気の多い雪への対応の困難な点あり、今後、より効率のよい雪落し具に改良や強化をすることが望ましい。
【課題を解決するための手段】
【０００５】  前記の課題を解決する為、請求項１に記載の考案は、棹と、前記棹の先端が他端に装着部品で装着され、一端にストッパーを一体に設けられた基板と、ストッパーの下部に接続された差込板と、前記基板のストッパーの近くに基板他端側向きに鋭角に接続部品で連結された上板とを有し、前記上板は、雪を落とす時に立ち上がり、前記ストッパーで止められる事を特徴とする雪落し具である。
【０００６】  請求項２に記載の考案は、前記上板は雪に差込み後の引き抜き時、前記ストッパーで基板に対し略９０度に上がって止まり、上板の基板他端側に雪を乗せ引き落とすことを特徴とする請求項１に記載の雪落とし具である。
【０００７】  請求項３に記載の考案は、前記基板の一端に一体化されたストッパーは、上板に向かって鋭角の曲がりがあり、積雪に差込みやすく落としやすい構造を特徴とする請求項１又は２に記載する雪落し具である。
【考案の効果】
【０００８】  本考案は、上板を上向きにして積雪下部に差し込んで引き抜く動作を行う。上板は立ち上がってストッパーで止まり、雪を引き落す。また、差し込み、引き落とすという労働力が、積雪部に空洞を作り、のちに上から雪が崩れてくる、という加算された雪除去力が生まれるという効率の高さも出てくる。婦女子でも容易に雪落し作業ができる雪落し具である。
新雪では引き落とし時に上板が立ち上がることもなく、差し込むと同時に雪は崩れて落ちてくる。本考案の雪落し具の鋭角の形状が、雪を割りながら差し込むためである。
積雪厚さにかかわらず、雪落し具の上板を上向きにして、屋根に近い雪中の下部に差し込むだけの作業を、地上で行なえることで、容易に落せ、安全、労力の軽減にもなっている。
また、差込板を有するため積雪の表面が凍結していても差し込みやすくなっている。
【図面の簡単な説明】
【０００９】
【図１】本考案の雪落とし具の実施例全体斜視図である。
【図２】本考案の雪落とし時の実施例全体斜視図である。
【図３】本考案の雪落とし具の実施例側面図である。
【図４】本考案の雪落とし具の部品分解図（ねじ、棹除く）である。
【図５】本考案の雪落とし具の使用状態図である。
【考案を実施するための形態】
【００１０】  図１は本考案の雪落とし具の実施例全体斜視図である。積雪への差込み時の状態を示している。基板２のストッパー下部に接続部品４で接続された差込板８と、接続部品３と４で基板のストッパーの近くの他端向きに接続部品で鋭角に連結された、上部が波状の上板１と、ストッパー７を一体化した基板２と、接続部品４と装着部品５によって装着された伸縮の中空アルミニウム長尺棹６で構成されている。差込板８は、差込み力を発揮する窪みを持っていることが好ましい。
【００１１】  図２は、本考案の代表図である。図１の状態で雪中に差し込み、雪の落し時の形態を示している。上板１が略９０度に立ち上がることが好ましく、これにより雪を引き出し、落とすものである。
上板１は、雪の引き出し時に、雪に抵抗して立上がりやすくなる様、上部が波形状であることが望ましい。波状であるため、上板上部は強度が上がり、曲がり難くなっている。
【００１２】  図３は、積雪を引き落す時の、雪中の状態を示している側面図である。略９０度に上がって止まった上板１の基板他端側に雪が乗り、引き落とす雪落し具の状態を表している。
ストッパー７は、上板１の立ち上がり角度を保持し、引き落とし時の上板１の支えとなる役割を成している。
基板２の一端に一体化したストッパー７は、上板に向かって鋭角の曲がりがあることが好ましく、積雪に対し、差し込みやすい形状となっている。基板２のしなり補正などの利点も併せ持っている。また、基板２のストッパー下部に接続された差込板８により、表面凍結の雪にも、より差し込みやすくしている。
棹６は、装着部に先端のみを示している。
【００１３】  図４は、本考案の雪落とし具を分解した部品図がである。接続部品のねじ４と棹６は除外してあるが、前記記載の棹６は中空アルミニウム製パイプで、多段階式の伸縮できる長尺棹である。上板１およびストッパー７を一体化の基板２は、高い耐久性のあるプラスチック及び軽金属等が適する素材である。接続部品３は、接続部品４と共に強度の高いステンレススチールが望ましい。棹装着部品はアルミニウム、プラスチックが相応しい。差込み板８は、強度の高い材質を必要とする事から、錆の目立たない金属製が望ましい。
各部品については、積雪条件、器具の軽量化、雪落とし効率、器具への雪の付着、雪落とし体の形状・色など、様々な作業環境を考慮し、それぞれに対応できる技術、修理、交換部品等備えておくことが必要である。
【００１４】  図５は、婦女子でも雪落としが容易に出来る本考案の雪落とし具である。軒先の積雪下部に差し込もうとしている作業状態を示している。
基板２を縦にして雪をブロック状に切り、引き落とすこともできる。
【実施例】
【００１５】  本実施の雪落とし具は、軒先に届く長尺棹６を３．５ｍ程に伸ばし、屋根の傾斜に沿って軒先の積雪下部に、上板１とストッパーを一体に設けた基板２を接続部品３で連結した雪落とし具を任意の力で差し込み、上板１が略９０度に立ち上がった状態で雪を基板２の上に乗せて、引く抜かれて雪を落としてくる器具である。図１及び図２が示している図である。ストッパー下部に接続した差込板により、表面凍結の雪面に差し込みやすくなっている。
実施した雪落とし具は、全長約４．７ｍである。また、棹先端より４ｍ地点において、棹のしなり角度は約１３度になる。作業位置は、軒の高さ３．３ｍ、屋根が６寸勾配、作業者が長尺棹６を持つ手の、上の手が地上より１ｍの時、雪落とし具を屋根に平行にすると、軒先下からの作業位置までの距離は２．７ｍとなる。雪はこの条件下に於て２．５ｍ地点に落ちると思われる。従って、雪落とし作業は、軒先までの距離は３ｍ程離れた地点が安全と思われる。前記記載の３．５ｍ程に伸ばした棹で差し込み引き抜く。さらに、棹を伸ばすなどして同じ場所に数回行ったら、雪落とし具を横に移動させて同じ作業を行う。雪落とし具を差し、抜きすると、空洞が出来てくる。雪は重力で崩れてくる。この雪落としの方法は、雪落とし具の全長が約４．７ｍのため、軒先より１．６ｍの範囲までの雪にしか届かない。しかし、積雪により作業足場位置が上がる時はこの限りではない。
手前の雪を落すことにより、上の雪は重力にて軒に向かって崩れやすくなる。この状況が起こるのは、積雪量が多い程起こりやすい。【００１６】  図５に示す雪落とし作業は、新雪の深さが５０〜６０ｃｍくらいまでなら差込み引き抜き作業で崩れやすく、落とし易い。表面が凍結している雪や、新雪でも１ｍ以上もある様な場合などでは崩れにくくなるが、横方向に差し込み穴を空けていくと、崩れる時はそれまでの作業分、雪の量は多く崩れてくる。したがって雪落とし作業の労力に大きな変化はない。
新雪では、雪落とし具を差し込んだとき、雪はストッパー・上板の夫々略３０度の傾斜角により、割れて入り込むので、立ち上がる上板で引き落とすことなく、大きなかたまりですぐに落下してくる。【００１７】  雪面が凍結の場合は、雪の水分量や前日までの気温の高さなどにより、凍結の情況も違っており、厚さによって差し込み難さがある。また、湿った雪は水分が多い程、雪落とし具が差し込みにくい。また、差し込んでも引き抜き時においても上板１が開かないこともあるが、雪落とし具を差し込むことができれば空洞が出来るので、続けて同様作業を行えば雪は崩れやすくなる。本実施は、表面凍結していても、上板１は上部が波形状であり、開きやすい形状と常用時角度が鋭角になっている。
本実施の雪落し具は、基板２に一体のストッパー７の角度は鋭角略３０度であり、また、基板２に取り付けた、窪みある差込板８により、力を入れやすく、差込みやすくしている。また、接続部品ねじは、基板２の下側から滑りの良い頭部を持つトラスねじ・ナベねじを差し止めている。装着部品の取り付けねじは、素手で締められる蝶ナットを使用している。【００１８】  本実施の雪落とし具は、積雪の中に左右斜めに差し込んでも引き出し量は変わらない。上板１面積の引き出す量は同じである。しかし、より奥に差し込むと引き出し量も多くなり、労力も増してくる。しかし、一度に落とす量は、奥へ差し込めばそれだけ多く落とすことが出来る。【００１９】  本実施の雪落とし具は、軒先から積雪に差込み引き落とす事により、自然と雪庇も落ちてくるようになる。屋根の高さもさまざまであるが、高い程、棹を伸ばす必要がある。さらに長い棹を装着する場合は、先端に装着する雪落とし具のさらなる軽量化を考える時、上板１、基板２の軽量化として、材質変更、寸法変更など考えられるが、材質変更無しに穴明けによる軽量化も良案である。穴径３０ｍｍくらいになると、材質強度の低下、積雪差込み時の雪の抵抗が増すため、再考が必要となる。抵抗が少ない、板強度低下が少ない小さい穴が好ましい。
また、差込板を一体化の基板も試みたが、積雪の表面凍結などによる消耗や曲がりなど、メンテナンスを考えると、差込板取り換えの容易な本実施の形状が良いと思われる。【００２０】  本実施の雪落とし具は、長尺棹１Ｋｇ弱、先端に装着した上板１・基板２等の重量は５００ｇ弱で総計１．５Ｋｇを切る重量の為、操作しやすい。この先端重量において、棹の先端から４ｍの支点までの先端のしなり角度はほぼ１３度である。このため、雪の予定する落ち場所、安全作業位置を考えると、雪落とし具は、全体のどの部分にも曲がりは必要なく、屋根の傾斜に沿うには、力が入りやすい直線が良いと思われる。また、体感する重量は持ち手の両手の幅を大きくする程、上の手を支点とした「てこ」の原理で、より器具の体感重量が軽減する。
より使いやすさを検討する時に、形状、材質の種類、厚さ、簡素化、寸法、加工法などを任意に変更することがある。
【符号の説明】
【００２１】１  上板
２  基板
３  接続部品（丁番）
４  接続部品（ねじ）
５  装着部品
６  棹
７  ストッパー
８  差込板
【図１】
0003219842.tif 000003
【図２】
0003219842.tif 000004
【図３】
0003219842.tif 000005
【図４】
0003219842.tif 000006
【図５】
0003219842.tif 000007
【手続補正書】
【提出日】平成30年11月14日(2018.11.14)
【手続補正１】
【補正対象書類名】実用新案登録請求の範囲
【補正対象項目名】全文
【補正方法】変更
【補正の内容】
【実用新案登録請求の範囲】
【請求項１】
棹と、前記棹の先端に、他端が装着部品で装着され、一端にストッパーを一体に設けた基板と、ストッパーの下部に接続された差込板と、前記基板のストッパーの近くに基板他端側向きに鋭角に接続部品で下端が連結された上板とを有し、前記上板は、雪を落とす時に接続部品を軸に立ち上がり、前記ストッパーで止められることを特徴とする雪落とし具。
【請求項２】
前記上板は、雪を落とす時に前記ストッパーで、基板に対し略９０度に立ち上がって止まり、雪を引き落とすことを特徴とする請求項１に記載の雪落とし具。
【請求項３】
前記基板の一端に一体化されたストッパーは、上板に向かって鋭角の曲がりがあることを特徴とする請求項１又は２に記載する雪落とし具。